(57)【要約】【課題】新たなテレビジョン放送素材伝送用の可搬型無線伝送機器において、伝送レートの向上と共に雑音耐性の向上を実現すること。【解決手段】本発明に係る送信装置１は、階層データをデータキャリアにマッピングするように構成されているマッピング部１９ａ/１９ｂを具備しており、マッピング部１９ａ/１９ｂは、キャリア変調方式の種類に対応するテーブルに従って、各信号点のＩ軸上の配置及びＱ軸上の配置を決定するように構成されている。【選択図】図２
2019030008.tif 000002
【特許請求の範囲】
【請求項１】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として６４ＱＡＭが用いられる場合で、且つ、符号化率が１/２である場合に、
【表１】
2019030008.tif 000045
に従って、各信号点（シンボル）のＩ軸上の配置及びＱ軸上の配置を決定するように構成されていることを特徴とする送信装置。
【請求項２】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として６４ＱＡＭが用いられる場合で、且つ、符号化率が２/３である場合に、
【表２】
2019030008.tif 000046
に従って、各信号点（シンボル）のＩ軸上の配置及びＱ軸上の配置を決定するように構成されていることを特徴とする送信装置。
【請求項３】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として６４ＱＡＭが用いられる場合で、且つ、符号化率が３/４である場合に、
【表３】
2019030008.tif 000047
に従って、各信号点（シンボル）のＩ軸上の配置及びＱ軸上の配置を決定するように構成されていることを特徴とする送信装置。
【請求項４】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として６４ＱＡＭが用いられる場合で、且つ、符号化率が５/６である場合に、
【表４】
2019030008.tif 000048
に従って、各信号点（シンボル）のＩ軸上の配置及びＱ軸上の配置を決定するように構成されていることを特徴とする送信装置。
【請求項５】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として２５６ＱＡＭが用いられる場合で、且つ、符号化率が１/２である場合に、
【表５】
2019030008.tif 000049
に従って、各信号点（シンボル）のＩ軸上の配置及びＱ軸上の配置を決定するように構成されていることを特徴とする送信装置。
【請求項６】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として２５６ＱＡＭが用いられる場合で、且つ、符号化率が２/３である場合に、
【表６】
2019030008.tif 000050
に従って、各信号点（シンボル）のＩ軸上の配置及びＱ軸上の配置を決定するように構成されていることを特徴とする送信装置。
【請求項７】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として２５６ＱＡＭが用いられる場合で、且つ、符号化率が３/４である場合に、
【表７】
2019030008.tif 000051
に従って、各信号点（シンボル）のＩ軸上の配置及びＱ軸上の配置を決定するように構成されていることを特徴とする送信装置。
【請求項８】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として２５６ＱＡＭが用いられる場合で、且つ、符号化率が５/６である場合に、
【表８】
2019030008.tif 000052
に従って、各信号点（シンボル）のＩ軸上の配置及びＱ軸上の配置を決定するように構成されていることを特徴とする送信装置。
【請求項９】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として１０２４ＱＡＭが用いられる場合で、且つ、符号化率が１/２である場合に、
【表９】
2019030008.tif 000053
に従って、各信号点（シンボル）の実数部分の配置を示すｕの値を算出し、
【表１０】
2019030008.tif 000054
に従って、各信号点（シンボル）の虚数部分の配置を示すｕの値を算出し、
【表１１】
2019030008.tif 000055
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする送信装置。
【請求項１０】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として１０２４ＱＡＭが用いられる場合で、且つ、符号化率が５/６である場合に、
【表９】
2019030008.tif 000056
に従って、各信号点（シンボル）の実数部分の配置を示すｕの値を算出し、
【表１０】
2019030008.tif 000057
に従って、各信号点（シンボル）の虚数部分の配置を示すｕの値を算出し、
【表１２】
2019030008.tif 000058
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする送信装置。
【請求項１１】
ＯＦＤＭ信号を送信するように構成されている送信装置であって、
キャリア変調方式の種類に対応するテーブルに従って、データキャリアに所定パケットを含むＦＥＣブロックをマッピングするように構成されているマッピング部を具備しており、
前記マッピング部は、キャリア変調方式として４０９６ＱＡＭが用いられる場合で、且つ、符号化率が５/６である場合に、
【表１３】
2019030008.tif 000059
に従って、各信号点（シンボル）の実数部分の配置を示すｕの値を算出し、
【表１４】
2019030008.tif 000060
に従って、各信号点（シンボル）の虚数部分の配置を示すｕの値を算出し、
【表１５】
2019030008.tif 000061
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする送信装置。
【請求項１２】
請求項１に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として６４ＱＡＭが用いられる場合で、且つ、符号化率が１/２である場合に、
【表１】
2019030008.tif 000062
に従って、各信号点（シンボル）のＩ軸上の配置及びＱ軸上の配置を決定するように構成されていることを特徴とする受信装置。
【請求項１３】
請求項２に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として６４ＱＡＭが用いられる場合で、且つ、符号化率が２/３である場合に、
【表２】
2019030008.tif 000063
に従って、各信号点（シンボル）のＩ軸上の配置及びＱ軸上の配置を決定するように構成されていることを特徴とする受信装置。
【請求項１４】
請求項３に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として６４ＱＡＭが用いられる場合で、且つ、符号化率が３/４である場合に、
【表３】
2019030008.tif 000064
に従って、各信号点（シンボル）のＩ軸上の配置及びＱ軸上の配置を決定するように構成されていることを特徴とする受信装置。
【請求項１５】
請求項４に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として６４ＱＡＭが用いられる場合で、且つ、符号化率が５/６である場合に、
【表４】
2019030008.tif 000065
に従って、各信号点（シンボル）のＩ軸上の配置及びＱ軸上の配置を決定するように構成されていることを特徴とする受信装置。
【請求項１６】
請求項５に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として２５６ＱＡＭが用いられる場合で、且つ、符号化率が１/２である場合に、
【表５】
2019030008.tif 000066
に従って、各信号点（シンボル）のＩ軸上の配置及びＱ軸上の配置を決定するように構成されていることを特徴とする受信装置。
【請求項１７】
請求項６に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として２５６ＱＡＭが用いられる場合で、且つ、符号化率が２/３である場合に、
【表６】
2019030008.tif 000067
に従って、各信号点（シンボル）のＩ軸上の配置及びＱ軸上の配置を決定するように構成されていることを特徴とする受信装置。
【請求項１８】
請求項７に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として２５６ＱＡＭが用いられる場合で、且つ、符号化率が３/４である場合に、
【表７】
2019030008.tif 000068
に従って、各信号点（シンボル）のＩ軸上の配置及びＱ軸上の配置を決定するように構成されていることを特徴とする受信装置。
【請求項１９】
請求項８に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として２５６ＱＡＭが用いられる場合で、且つ、符号化率が５/６である場合に、
【表８】
2019030008.tif 000069
に従って、各信号点（シンボル）のＩ軸上の配置及びＱ軸上の配置を決定するように構成されていることを特徴とする受信装置。
【請求項２０】
請求項９に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として１０２４ＱＡＭが用いられる場合で、且つ、符号化率が１/２である場合に、
【表９】
2019030008.tif 000070
に従って、各信号点（シンボル）の実数部分の配置を示すｕの値を算出し、
【表１０】
2019030008.tif 000071
に従って、各信号点（シンボル）の虚数部分の配置を示すｕの値を算出し、
【表１１】
2019030008.tif 000072
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする受信装置。
【請求項２１】
請求項１０に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として１０２４ＱＡＭが用いられる場合で、
且つ、符号化率が５/６である場合に、
【表９】
2019030008.tif 000073
に従って、各信号点（シンボル）の実数部分の配置を示すｕの値を算出し、
【表１０】
2019030008.tif 000074
に従って、各信号点（シンボル）の虚数部分の配置を示すｕの値を算出し、
【表１２】
2019030008.tif 000075
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする受信装置。
【請求項２２】
請求項１１に記載の送信装置から送信されたＯＦＤＭ信号を受信するように構成されている受信装置であって、
キャリア変調方式の種類に対応するテーブルに従って、データキャリアから所定パケットを含むＦＥＣブロックをデマッピングするように構成されているデマッピング部を具備しており、
前記デマッピング部は、キャリア変調方式として４０９６ＱＡＭが用いられる場合で、
且つ、符号化率が５/６である場合に、
【表１３】
2019030008.tif 000076
に従って、各信号点（シンボル）の実数部分の配置を示すｕの値を算出し、
【表１４】
2019030008.tif 000077
に従って、各信号点（シンボル）の虚数部分の配置を示すｕの値を算出し、
【表１５】
2019030008.tif 000078
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを特徴とする受信装置。
【請求項２３】
コンピュータを、請求項１〜１１のいずれか一項に記載の送信装置として機能させるためのプログラムを実行するプロセッサによって構成されるチップ。
【請求項２４】
コンピュータを、請求項１２〜２２のいずれか一項に記載の受信装置として機能させるためのプログラムを実行するプロセッサによって構成されるチップ。
【発明の詳細な説明】
【技術分野】
【０００１】
本発明は、送信装置、受信装置及びチップに関する。
【背景技術】
【０００２】
現在、新たなテレビジョン放送素材伝送用の可搬型無線伝送機器の検討が進められている。
【０００３】
かかる可搬型無線伝送機器では、キャリア変調方式として、１６ＱＡＭ（Ｑｕａｄｒａｔｕｒｅ  Ａｍｐｌｉｔｕｄｅ  Ｍｏｄｕｌａｔｉｏｎ）や６４ＱＡＭや２５６ＱＡＭや１０２４ＱＡＭや４０９６ＱＡＭを用いることが検討されている。
【先行技術文献】
【特許文献】
【０００４】
【特許文献１】特開２０１４-２６１３９１号公報
【発明の概要】
【発明が解決しようとする課題】
【０００５】
しかしながら、新たなテレビジョン放送素材伝送用の可搬型無線伝送機器を実現するに際して、従来のキャリア変調におけるコンスタレーションでは、雑音耐性を十分に確保することができないという問題点があった。
【０００６】
そこで、本発明は、上述した課題を解決するためになされたものであり、新たなテレビジョン放送素材伝送用の可搬型無線伝送機器において、雑音耐性の向上を実現することができる送信装置、受信装置及びチップを提供することを目的とする。
【課題を解決するための手段】
【０００７】
本発明の第１の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として６４ＱＡＭが用いられる場合で、且つ、符号化率が１/２である場合に、
【表１】
2019030008.tif 000003
に従って、各信号点（シンボル）のＩ軸上の配置及びＱ軸上の配置を決定するように構成されていることを要旨とする。
【０００８】
本発明の第２の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として６４ＱＡＭが用いられる場合で、且つ、符号化率が２/３である場合に、
【表２】
2019030008.tif 000004
に従って、各信号点（シンボル）のＩ軸上の配置及びＱ軸上の配置を決定するように構成されていることを要旨とする。
【０００９】
本発明の第３の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として６４ＱＡＭが用いられる場合で、且つ、符号化率が３/４である場合に、
【表３】
2019030008.tif 000005
に従って、各信号点（シンボル）のＩ軸上の配置及びＱ軸上の配置を決定するように構成されていることを要旨とする。
【００１０】
本発明の第４の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として６４ＱＡＭが用いられる場合で、且つ、符号化率が５/６である場合に、
【表４】
2019030008.tif 000006
に従って、各信号点（シンボル）のＩ軸上の配置及びＱ軸上の配置を決定するように構成されていることを要旨とする。
【００１１】
本発明の第５の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として２５６ＱＡＭが用いられる場合で、
且つ、符号化率が１/２である場合に、
【表５】
2019030008.tif 000007
に従って、各信号点（シンボル）のＩ軸上の配置及びＱ軸上の配置を決定するように構成されていることを要旨とする。
【００１２】
本発明の第６の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として２５６ＱＡＭが用いられる場合で、
且つ、符号化率が２/３である場合に、
【表６】
2019030008.tif 000008
に従って、各信号点（シンボル）のＩ軸上の配置及びＱ軸上の配置を決定するように構成されていることを要旨とする。
【００１３】
本発明の第７の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として２５６ＱＡＭが用いられる場合で、
且つ、符号化率が３/４である場合に、
【表７】
2019030008.tif 000009
に従って、各信号点（シンボル）のＩ軸上の配置及びＱ軸上の配置を決定するように構成されていることを要旨とする。
【００１４】
本発明の第８の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として２５６ＱＡＭが用いられる場合で、
且つ、符号化率が５/６である場合に、
【表８】
2019030008.tif 000010
に従って、各信号点（シンボル）のＩ軸上の配置及びＱ軸上の配置を決定するように構成されていることを要旨とする。
【００１５】
本発明の第９の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として１０２４ＱＡＭが用いられる場合で、且つ、符号化率が１/２である場合に、
【表９】
2019030008.tif 000011
に従って、各信号点（シンボル）の実数部分の配置を示すｕの値を算出し、
【表１０】
2019030008.tif 000012
に従って、各信号点（シンボル）の虚数部分の配置を示すｕの値を算出し、
【表１１】
2019030008.tif 000013
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００１６】
本発明の第１０の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として１０２４ＱＡＭが用いられる場合で、且つ、符号化率が５/６である場合に、
【表９】
2019030008.tif 000014
に従って、各信号点（シンボル）の実数部分の配置を示すｕの値を算出し、
【表１０】
2019030008.tif 000015
に従って、各信号点（シンボル）の虚数部分の配置を示すｕの値を算出し、
【表１２】
2019030008.tif 000016
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００１７】
本発明の第１１の特徴は、ＯＦＤＭ信号を送信するように構成されている送信装置であって、キャリア変調方式の種類に対応するテーブルに従って、データキャリアに所定パケットを含むＦＥＣブロックをマッピングするように構成されているマッピング部を具備しており、前記マッピング部は、キャリア変調方式として４０９６ＱＡＭが用いられる場合で、且つ、符号化率が５/６である場合に、
【表１３】
2019030008.tif 000017
に従って、各信号点（シンボル）の実数部分の配置を示すｕの値を算出し、
【表１４】
2019030008.tif 000018
に従って、各信号点（シンボル）の虚数部分の配置を示すｕの値を算出し、
【表１５】
2019030008.tif 000019
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００１８】
本発明の第１２の特徴は、上述の第１の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されてデマッピング部を具備しており、前記デマッピング部は、キャリア変調方式として６４ＱＡＭが用いられる場合で、且つ、符号化率が１/２である場合に、
【表１】
2019030008.tif 000020
に従って、各信号点（シンボル）のＩ軸上の配置及びＱ軸上の配置を決定するように構成されていることを要旨とする。
【００１９】
本発明の第１３の特徴は、上述の第２の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として６４ＱＡＭが用いられる場合で、且つ、符号化率が２/３である場合に、
【表２】
2019030008.tif 000021
に従って、各信号点（シンボル）のＩ軸上の配置及びＱ軸上の配置を決定するように構成されていることを要旨とする。
【００２０】
本発明の第１４の特徴は、上述の第３の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として６４ＱＡＭが用いられる場合で、且つ、符号化率が３/４である場合に、
【表３】
2019030008.tif 000022
に従って、各信号点（シンボル）のＩ軸上の配置及びＱ軸上の配置を決定するように構成されていることを要旨とする。
【００２１】
本発明の第１５の特徴は、上述の第４の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として６４ＱＡＭが用いられる場合で、且つ、符号化率が５/６である場合に、
【表４】
2019030008.tif 000023
に従って、各信号点（シンボル）のＩ軸上の配置及びＱ軸上の配置を決定するように構成されていることを要旨とする。
【００２２】
本発明の第１６の特徴は、上述の第５の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として２５６ＱＡＭが用いられる場合で、且つ、符号化率が１/２である場合に、
【表５】
2019030008.tif 000024
に従って、各信号点（シンボル）のＩ軸上の配置及びＱ軸上の配置を決定するように構成されていることを要旨とする。
【００２３】
本発明の第１７の特徴は、上述の第６の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として２５６ＱＡＭが用いられる場合で、且つ、符号化率が２/３である場合に、
【表６】
2019030008.tif 000025
に従って、各信号点（シンボル）のＩ軸上の配置及びＱ軸上の配置を決定するように構成されていることを要旨とする。
【００２４】
本発明の第１８の特徴は、上述の第７の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として２５６ＱＡＭが用いられる場合で、且つ、符号化率が３/４である場合に、
【表７】
2019030008.tif 000026
に従って、各信号点（シンボル）のＩ軸上の配置及びＱ軸上の配置を決定するように構成されていることを要旨とする。
【００２５】
本発明の第１９の特徴は、上述の第８の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として２５６ＱＡＭが用いられる場合で、且つ、符号化率が５/６である場合に、
【表８】
2019030008.tif 000027
に従って、各信号点（シンボル）のＩ軸上の配置及びＱ軸上の配置を決定するように構成されていることを要旨とする。
【００２６】
本発明の第２０の特徴は、上述の第９の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として１０２４ＱＡＭが用いられる場合で、且つ、符号化率が１/２である場合に、
【表９】
2019030008.tif 000028
に従って、各信号点（シンボル）の実数部分の配置を示すｕの値を算出し、
【表１０】
2019030008.tif 000029
に従って、各信号点（シンボル）の虚数部分の配置を示すｕの値を算出し、
【表１１】
2019030008.tif 000030
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００２７】
本発明の第２１の特徴は、上述の第１０の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として１０２４ＱＡＭが用いられる場合で、且つ、符号化率が５/６である場合に、
【表９】
2019030008.tif 000031
に従って、各信号点（シンボル）の実数部分の配置を示すｕの値を算出し、
【表１０】
2019030008.tif 000032
に従って、各信号点（シンボル）の虚数部分の配置を示すｕの値を算出し、
【表１２】
2019030008.tif 000033
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００２８】
本発明の第２２の特徴は、上述の第１１の特徴に係る送信装置から送信されたＯＦＤＭ信号を受信するように構成されている受信装置であって、キャリア変調方式の種類に対応するテーブルに従って、データキャリアから所定パケットを含むＦＥＣブロックをデマッピングするように構成されているデマッピング部を具備しており、前記デマッピング部は、キャリア変調方式として４０９６ＱＡＭが用いられる場合で、且つ、符号化率が５/６である場合に、
【表１３】
2019030008.tif 000034
に従って、各信号点（シンボル）の実数部分の配置を示すｕの値を算出し、
【表１４】
2019030008.tif 000035
に従って、各信号点（シンボル）の虚数部分の配置を示すｕの値を算出し、
【表１５】
2019030008.tif 000036
を参照して、前記実数部分の配置を示すｕの値に対応する各信号点（シンボル）のＩ軸上の配置及び前記虚数部分の配置を示すｕの値に対応する各信号点（シンボル）のＱ軸上の配置を算出するように構成されていることを要旨とする。
【００２９】
本発明の第２３の特徴は、コンピュータを、上述の第１〜１１のいずれかの特徴に係る送信装置として機能させるためのプログラムを実行するプロセッサによって構成されるチップであることを要旨とする。
【００３０】
本発明の第２４の特徴は、コンピュータを、上述の第１２〜２２のいずれかの特徴に係る受信装置として機能させるためのプログラムを実行するプロセッサによって構成されるチップであることを要旨とする。
【発明の効果】
【００３１】
本発明によれば、新たなテレビジョン放送素材伝送用の可搬型無線伝送機器において、伝送レートの向上と共に雑音耐性の向上を実現することができる送信装置、受信装置及びチップを提供することができる。
【図面の簡単な説明】
【００３２】
【図１】図１は、第１の実施形態に係る送信装置１の構成図の一例である。
【図２】図２は、第１の実施形態に係る送信装置１のマッピング部１９ａ/１９ｂによってマッピングされる各信号点の配置の一例を示す図である。
【図３】図３は、第１の実施形態に係る送信装置１のマッピング部１９ａ/１９ｂによってマッピングされる各信号点の配置の一例を示す図である。
【図４】図４は、第１の実施形態に係る送信装置１のマッピング部１９ａ/１９ｂによってマッピングされる各信号点の配置の一例を示す図である。
【図５】図５は、第１の実施形態に係る送信装置１のマッピング部１９ａ/１９ｂによってマッピングされる各信号点の配置の一例を示す図である。
【図６】図６は、第１の実施形態に係る送信装置１のマッピング部１９ａ/１９ｂによってマッピングされる各信号点の配置の一例を示す図である。
【図７】図７は、第１の実施形態に係る送信装置１のマッピング部１９ａ/１９ｂによってマッピングされる各信号点の配置の一例を示す図である。
【図８】図８は、第１の実施形態に係る送信装置１のマッピング部１９ａ/１９ｂによってマッピングされる各信号点の配置の一例を示す図である。
【図９】図９は、第１の実施形態に係る送信装置１のマッピング部１９ａ/１９ｂによってマッピングされる各信号点の配置の一例を示す図である。
【図１０】図１０は、第１の実施形態に係る送信装置１のマッピング部１９ａ/１９ｂによってマッピングされる各信号点の配置を説明するための図の一例である。
【図１１】図１１は、第１の実施形態に係る送信装置１のマッピング部１９ａ/１９ｂによってマッピングされる各信号点の配置を説明するための図の一例である。
【図１２】図１２は、第１の実施形態に係る送信装置１のマッピング部１９ａ/１９ｂによってマッピングされる各信号点の配置を説明するための図の一例である。
【図１３】図１３は、第１の実施形態に係る送信装置１のマッピング部１９ａ/１９ｂによってマッピングされる各信号点の配置の一例を示す図である。
【図１４】図１４は、第１の実施形態に係る送信装置１のマッピング部１９ａ/１９ｂによってマッピングされる各信号点の配置の一例を示す図である。
【図１５】図１５は、第１の実施形態に係る送信装置１のマッピング部１９ａ/１９ｂによってマッピングされる各信号点の配置を説明するための図の一例である。
【図１６】図１６は、第１の実施形態に係る送信装置１のマッピング部１９ａ/１９ｂによってマッピングされる各信号点の配置を説明するための図の一例である。
【図１７】図１７は、第１の実施形態に係る送信装置１のマッピング部１９ａ/１９ｂによってマッピングされる各信号点の配置を説明するための図の一例である。
【図１８】図１８は、第１の実施形態に係る送信装置１のマッピング部１９ａ/１９ｂによってマッピングされる各信号点の配置の一例を示す図である。
【図１９】図１９は、第１の実施形態に係る受信装置３の構成図の一例である。
【図２０】図２０は、第１の実施形態に係る送信装置１及び受信装置３を用いた場合の伝送路品質の一例を示す図である。
【図２１】図２１は、第１の実施形態に係る送信装置１及び受信装置３を用いた場合の伝送路品質の一例を示す図である。
【図２２】図２２は、第１の実施形態に係る送信装置１及び受信装置３を用いた場合の伝送路品質の一例を示す図である。
【図２３】図２３は、第１の実施形態に係る送信装置１及び受信装置３を用いた場合の伝送路品質の一例を示す図である。
【図２４】図２４は、その他の実施形態に係る送信装置１の構成図の一例である。
【図２５】図２５は、その他の実施形態に係る受信装置３の構成図の一例である。
【発明を実施するための形態】
【００３３】
（第１の実施形態）
以下、図１〜図２３を参照して、本発明の第１の実施形態に係る伝送システムについて説明する。本実施形態に係る伝送システムは、上述の新たなテレビジョン放送素材伝送用の可搬型無線伝送機器に対応するように構成されており、例えば、図１に示す送信装置１及び図１９に示す受信装置３を具備する。
【００３４】
本実施形態に係る送信装置１は、ＭＩＭＯ（Ｍｕｌｔｉ-Ｉｎｐｕｔ  Ｍｕｌｔｉ-Ｏｕｔｐｕｔ）を用いて、ＯＦＤＭ信号を送信するように構成されている。具体的には、本実施形態に係る送信装置１は、ＯＦＤＭ信号によって所定パケット（例えば、ＴＳ（Ｔｒａｎｓｐｏｒｔ  Ｓｔｒｅａｍ）パケットやＩＰパケット等）を含むＦＥＣ（Ｆｏｒｗａｒｄ  Ｅｒｒｏｒ  Ｃｏｒｒｅｃｔｉｏｎ）ブロックを送信することができるように構成されている。ここで、ＩＰパケットには、ＥｔｈｅｒｎｅｔによるＴＳ  ｏｖｅｒ  ＩＰパケットも含まれる。
【００３５】
図１に示すように、本実施形態に係る送信装置１は、ＦＥＣブロック構成部１１と、簡易スクランブル部１２と、外符号符号化部１３と、エネルギー拡散部１４と、内符号符号化部１５と、ビットインターリーブ部１６と、周波数・偏波間インターリーブ部１７ａ/１７ｂと、時間インターリーブ部１８ａ/１８ｂと、マッピング部１９ａ/１９ｂと、ＯＦＤＭフレーム構成部２０ａ/２０ｂと、ＩＦＦＴ部２１ａ/２１ｂと、直交変調部２２ａ/２２ｂとを具備している。
【００３６】
ＦＥＣブロック構成部１１は、入力された所定パケットからＦＥＣブロックを生成するように構成されている。
【００３７】
簡易スクランブル部１２は、ＦＥＣブロック構成部１１から入力されたＦＥＣブロックに対して、スクランブル処理を施すように構成されている。例えば、簡易スクランブル部１２は、１６ビットの疑似ランダム系列を加算する簡易なスクランブル方式を用いるように構成されていてもよい。なお、送信装置１は、簡易スクランブル部１２を具備していなくてもよい。
【００３８】
外符号符号化部１３は、簡易スクランブル部１２から入力されたスクランブル処理が施されたＦＥＣブロックに対して、外符号を用いた誤り訂正符号化処理を施すように構成されている。例えば、外符号符号化部１３は、外符号としてＢＣＨの短縮符号等を用いるように構成されていてもよい。
【００３９】
エネルギー拡散部１４は、外符号符号化部１３から入力されたブロックに対してエネルギー拡散処理を施すように構成されている。
【００４０】
内符号符号化部１５は、エネルギー拡散部１４から入力されたブロックに対して、内符号を用いた誤り訂正符号化処理を施すように構成されている。例えば、内符号符号化部１５は、内符号としてＬＤＰＣ符号等を用いるように構成されていてもよい。
【００４１】
ビットインターリーブ部１６は、内符号符号化部１５から入力されたブロックに対して、ビットインターリーブ処理を施すように構成されている。ビットインターリーブ部１６は、ビットインターリーブ処理を施したデータを、周波数・偏波間インターリーブ部１７ａ/１７ｂの２系統に分配して出力するように構成されている。なお、ＳＩＳＯ（Ｓｉｎｇｌｅ-Ｉｎｐｕｔ  Ｓｉｎｇｌｅ-Ｏｕｔｐｕｔ）が適用されているケースでは、１個の周波数インターリーブ部のみが設けられているため、ビットインターリーブ部１６は、ビットインターリーブ処理を施したデータを、かかる周波数インターリーブ部１７に出力するように構成されている（図２４を参照）。
【００４２】
周波数・偏波間インターリーブ部１７ａ/１７ｂは、ビットインターリーブ部１６から入力されたデータに対して、周波数・偏波間インターリーブ処理を行うように構成されている。なお、ＳＩＳＯが適用されているケースでは、周波数インターリーブ部１７は、ビットインターリーブ部１６から入力されたデータに対して、周波数インターリーブ処理を行うように構成されている（図２４を参照）。
【００４３】
時間インターリーブ部１８ａ/１８ｂは、周波数・偏波間インターリーブ部１７ａ/１７ｂから入力されたデータに対して、時間インターリーブ処理を施すように構成されている。例えば、時間インターリーブ部１８ａ/１８ｂは、時間インターリーブ処理として畳み込みインターリーブ処理を施すように構成されていてもよい。
【００４４】
マッピング部１９ａ/１９ｂは、時間インターリーブ部１８ａ/１８ｂから入力されたデータをデータキャリアにマッピングするように構成されている。
【００４５】
具体的には、マッピング部１９ａ/１９ｂは、キャリア変調方式の種類に対応するテーブルに従って、各信号点（シンボル）のＩ軸上の配置及びＱ軸上の配置を決定するように構成されている。
【００４６】
なお、マッピング部１９ａ/１９ｂは、コンスタレーションとして、不均一コンスタレーション（ＮＵＣ：Ｎｏｎ-Ｕｎｉｆｏｒｍ  Ｃｏｎｓｔｅｌｌａｔｉｏｎ）を用いるように構成されている。
【００４７】
ここで、マッピング部１９ａ/１９ｂは、６４ＱＡＭや２５６ＱＡＭや１０２４ＱＡＭや４０９６ＱＡＭのキャリア変調方式に対応していてもよい。
【００４８】
例えば、マッピング部１９ａ/１９ｂは、キャリア変調方式として６４ＱＡＭが用いられる場合で、且つ、符号化率が１/２（ＡＲＩＢ  ＳＴＤ-Ｂ４４における符号化率ｒ＝６１/１２０と同一）である場合に、
【表１】
2019030008.tif 000037
に従って、各信号点のＩ軸上の配置及びＱ軸上の配置を決定するように構成されていてもよい。図２に、かかる場合の各信号点のＩ軸上の配置及びＱ軸上の配置を示す。
【００４９】
なお、本明細書において、「符号化率が１/２（ＡＲＩＢ  ＳＴＤ-Ｂ４４における符号化率ｒ＝６１/１２０と同一）である場合」とは、符号化率１/２の誤り訂正符号としてＡＲＩＢ  ＳＴＤ-Ｂ４４における符号化率ｒ＝６１/１２０のＬＤＰＣ符号を用いる場合を意味する。すなわち、かかる記載は、符号化率が厳密に１/２であることに限定するものではない。以下で述べる他の符号化率についても同様である。
【００５０】
また、マッピング部１９ａ/１９ｂは、キャリア変調方式として６４ＱＡＭが用いられる場合で、且つ、符号化率が２/３（ＡＲＩＢ  ＳＴＤ-Ｂ４４における符号化率ｒ＝８１/１２０と同一）である場合に、
【表２】
2019030008.tif 000038
に従って、各信号点のＩ軸上の配置及びＱ軸上の配置を決定するように構成されていてもよい。図３に、かかる場合の各信号点のＩ軸上の配置及びＱ軸上の配置を示す。
【００５１】
また、マッピング部１９ａ/１９ｂは、キャリア変調方式として６４ＱＡＭが用いられる場合で、且つ、符号化率が３/４（ＡＲＩＢ  ＳＴＤ-Ｂ４４における符号化率ｒ＝８９
/１２０と同一）である場合に、
【表３】
2019030008.tif 000039
に従って、各信号点のＩ軸上の配置及びＱ軸上の配置を決定するように構成されていてもよい。図４に、かかる場合の各信号点のＩ軸上の配置及びＱ軸上の配置を示す。
【００５２】
また、マッピング部１９ａ/１９ｂは、キャリア変調方式として６４ＱＡＭが用いられる場合で、且つ、符号化率が５/６（ＡＲＩＢ  ＳＴＤ-Ｂ４４における符号化率ｒ＝１０１/１２０と同一）である場合に、
【表４】
2019030008.tif 000040
に従って、各信号点のＩ軸上の配置及びＱ軸上の配置を決定するように構成されていてもよい。図５に、かかる場合の各信号点のＩ軸上の配置及びＱ軸上の配置を示す。
【００５３】
また、マッピング部１９ａ/１９ｂは、キャリア変調方式として２５６ＱＡＭが用いられる場合で、且つ、符号化率が１/２である場合に、
【表５】
2019030008.tif 000041
に従って、各信号点のＩ軸上の配置及びＱ軸上の配置を決定するように構成されていてもよい。図６に、かかる場合の各信号点のＩ軸上の配置及びＱ軸上の配置を示す。
【００５４】
また、マッピング部１９ａ/１９ｂは、キャリア変調方式として２５６ＱＡＭが用いられる場合で、且つ、符号化率が２/３である場合に、
【表６】
2019030008.tif 000042
に従って、各信号点のＩ軸上の配置及びＱ軸上の配置を決定するように構成されていてもよい。図７に、かかる場合の各信号点のＩ軸上の配置及びＱ軸上の配置を示す。
【００５５】
また、マッピング部１９ａ/１９ｂは、キャリア変調方式として２５６ＱＡＭが用いられる場合で、且つ、符号化率が３/４である場合に、
【表７】
2019030008.tif 000043
に従って、各信号点のＩ軸上の配置及びＱ軸上の配置を決定するように構成されていてもよい。図８に、かかる場合の各信号点のＩ軸上の配置及びＱ軸上の配置を示す。
【００５６】
また、マッピング部１９ａ/１９ｂは、キャリア変調方式として２５６ＱＡＭが用いられる場合で、且つ、符号化率が５/６である場合に、
【表８】
2019030008.tif 000044
に従って、各信号点のＩ軸上の配置及びＱ軸上の配置を決定するように構成されていてもよい。図９に、かかる場合の各信号点のＩ軸上の配置及びＱ軸上の配置を示す。
【００５７】
以下、図１０〜図１２を参照して、キャリア変調方式として１０２４ＱＡＭが用いられる場合の各信号点のＩ軸上の配置及びＱ軸上の配置の決定方法について説明する。
【００５８】
ここで、マッピング部１９ａ/１９ｂは、キャリア変調方式として１０２４ＱＡＭが用いられている場合、図１０〜図１２に示すテーブルを用いて、各信号点のＩ軸上の配置及びＱ軸上の配置を決定するように構成されている。
【００５９】
図１０に示すテーブルは、符号化率が１/２及び５/６の場合のｕ０〜ｕ１５の値を規定している。
【００６０】
また、図１１は、入力シンボルの実数部分の配置（Ｉ軸上の配置）を示すｕの値を規定しており、図１２は、入力シンボルの虚数部分の配置（Ｑ軸上の配置）を示すｕの値を規定している。
【００６１】
具体的には、マッピング部１９ａ/１９ｂは、図１１及び図１２を参照して、入力シンボルの実数部分の配置を示すｕの値及び入力シンボルの虚数部分の配置を示すｕの値を算出し、図１０を参照して、これらのｕの値に対応する入力シンボルのＩ軸上の配置（実数部分の配置）及びＱ軸上の配置（虚数部分の配置）を決定するように構成されている。
【００６２】
例えば、入力シンボルを構成するビットｙ０,ｓ〜ｙ９,ｓが（００１００１１１００）である場合、かかる入力シンボルの実数部分の配置を示すｕの値は、図１１においてビットｙ０,ｓ〜ｙ９,ｓの偶数ビット（ｙ０,ｓ、ｙ２,ｓ、ｙ４,ｓ、ｙ６,ｓ、ｙ８,ｓ）＝（０１０１０）に対応するｕ３である。そして、かかる入力シンボルの虚数部分の配置を示すｕの値は、図１２においてビットｙ０,ｓ〜ｙ９,ｓの奇数ビット（ｙ１,ｓ、ｙ３,ｓ、ｙ５,ｓ、ｙ７,ｓ、ｙ９,ｓ）＝（００１１０）に対応するｕ１１である。
【００６３】
その結果、マッピング部１９ａ/１９ｂは、キャリア変調方式として１０２４ＱＡＭが用いられる場合で、且つ、符号化率が１/２である場合に、入力シンボル（００１００１１１００）のＩ軸上の配置を「０.１３３７（図１０におけるｕ３に対応）」とし、入力シンボル（００１００１１１００）のＱ軸上の配置を「０.７４９６（図１０におけるｕ１１に対応）」とするように構成されている。
【００６４】
図１３及び図１４に、キャリア変調方式として１０２４ＱＡＭが用いられる場合の各信号点のＩ軸上の配置及びＱ軸上の配置を示す。
【００６５】
次に、図１５〜図１７を参照して、キャリア変調方式として４０９６ＱＡＭが用いられる場合の各信号点のＩ軸上の配置及びＱ軸上の配置の決定方法について説明する。
【００６６】
マッピング部１９ａ/１９ｂは、キャリア変調方式として４０９６ＱＡＭが用いられている場合、図１５〜図１７に示すテーブルを用いて、各信号点のＩ軸上の配置及びＱ軸上の配置を決定するように構成されている。
【００６７】
図１５に示すテーブルは、符号化率が５/６の場合のｕ０〜ｕ１５の値を規定している。
【００６８】
また、図１６は、入力シンボルの実数部分の配置（Ｉ軸上の配置）を示すｕの値を規定している。また、図１７は、入力シンボルの虚数部分の配置（Ｑ軸上の配置）を示すｕの値を規定している。
【００６９】
具体的には、マッピング部１９ａ/１９ｂは、図１６及び図１７を参照し、入力シンボルの実数部分の配置を示すｕの値及び入力シンボルの虚数部分の配置を示すｕの値を算出する。そして、図１５を参照して、これらのｕの値に対応する入力シンボルのＩ軸上の配置（虚数部分の配置）及びＱ軸上の配置（実数部分の配置）を決定するように構成されている。
【００７０】
例えば、入力シンボルを構成するビットｙ０,ｓ〜ｙ１１,ｓが（００１０１００１１１００）である場合、かかる入力シンボルの実数部分の配置を示すｕの値は、図１６においてビットｙ０,ｓ〜ｙ１１,ｓの偶数ビット（ｙ０,ｓ、ｙ２,ｓ、ｙ４,ｓ、ｙ６,ｓ、ｙ８,ｓ、ｙ１０,ｓ）＝（０１１０１０）に対応するｕ１２である。かかる入力シンボルの虚数部分の配置を示すｕの値は、図１７においてビットｙ０,ｓ〜ｙ１１,ｓの奇数ビット（ｙ１,ｓ、ｙ３,ｓ、ｙ５,ｓ、ｙ７,ｓ、ｙ９,ｓ、ｙ１１,ｓ）＝（０００１１０）に対応するｕ２７である。
【００７１】
その結果、キャリア変調方式として４０９６ＱＡＭが用いられる場合で、且つ、符号化率が５/６である場合に、マッピング部１９ａ/１９ｂは、入力シンボル（００１０１００１１１００）のＩ軸上の配置を「０.４０４８（図１５におけるｕ１２に対応）」とし、入力シンボル（００１０１００１１１００）のＱ軸上の配置を「１.０９１７（図１５におけるｕ２７に対応）」とするように構成されている。
【００７２】
図１８に、キャリア変調方式として４０９６ＱＡＭが用いられる場合の各信号点のＩ軸上の配置及びＱ軸上の配置を示す。
【００７３】
ＯＦＤＭフレーム構成部２０ａ/２０ｂは、マッピング部１９ａ/１９ｂから入力されたデータ、及び、入力されたＣＰ（Ｃｏｎｔｉｎｕａｌ  Ｐｉｌｏｔ）やＳＰ（Ｓｃａｔｔｅｒｅｄ  Ｐｉｌｏｔ）やＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）やＡＣ（Ａｕｘｉｌｉａｒｙ  Ｃｈａｎｎｅｌ）等に応じて、ＯＦＤＭフレームを構成するように構成されている。
【００７４】
ＩＦＦＴ部２１ａ/２１ｂは、それぞれＯＦＤＭフレーム構成部２０ａ/２０ｂから入力されたＯＦＤＭフレームに対してＩＦＦＴを施すように構成されている。
【００７５】
直交変調部２２ａ/２２ｂは、それぞれＩＦＦＴ部２１ａ/２１ｂから入力されたＯＦＤＭ信号に対して直交変調処理を施して送信するように構成されている。
【００７６】
本実施形態に係る受信装置３は、ＭＩＭＯを用いて、所定パケットを含むＦＥＣブロックを含むＯＦＤＭ信号を受信するように構成されている。
【００７７】
本実施形態に係る受信装置３は、図１９に示すように、復調部３１ａ/３１ｂと、ＦＦＴ部３２ａ/３２ｂと、デフレーム化部３３ａ/３３ｂと、デマッピング部３４ａ/３４ｂと、時間デインターリーブ部３５ａ/３５ｂと、周波数・偏波間デインターリーブ部３６ａ/３６ｂと、ビットデインターリーブ部３７と、内符号復号部３８と、エネルギー逆拡散部３９と、外符号復号部４０と、簡易デスクランブル部４１と、ＦＥＣブロック分離部４２とを具備している。
【００７８】
復調部３１ａ/３１ｂは、送信装置１によって送信されたＯＦＤＭ信号を受信して復調処理を施すように構成されている。
【００７９】
ＦＦＴ部３２ａ/３２ｂは、それぞれ復調部３１ａ/３１ｂから入力されたＯＦＤＭ信号に対してＦＦＴを施すように構成されている。
【００８０】
デフレーム化部３３ａ/３３ｂは、ＦＦＴ部３２ａ/３２ｂから入力されたＯＦＤＭフレームに対して、デフレーム化処理を施すように構成されている。
【００８１】
デマッピング部３４ａ/３４ｂは、上述のマッピング部１９ａ/１９ｂと同様に、キャリア変調方式の種類に対応するテーブルに従って、各信号点（シンボル）のＩ軸上の配置及びＱ軸上の配置から誤り訂正符号の復号に必要な情報（ビットの尤度等）を決定するように構成されている。
【００８２】
時間デインターリーブ部３５ａ/３５ｂは、デマッピング部３４ａ/３４ｂから入力されたデータに対して、時間インターリーブ部１８ａ/１８ｂで施された時間インターリーブ処理に対応する時間デインターリーブ処理を施すように構成されている。
【００８３】
周波数・偏波間デインターリーブ部３６ａ/３６ｂは、時間デインターリーブ部３５ａ/３５ｂから入力されたデータに対して、周波数・偏波間インターリーブ部１７ａ/１７ｂで施された周波数・偏波間インターリーブ処理に対応する周波数・偏波間デインターリーブ処理を施すように構成されている。なお、ＳＩＳＯが適用されているケースでは、１個の周波数デインターリーブ部のみが設けられているため、時間デインターリーブ部３５は、時間デインターリーブ処理を施したデータを、かかる周波数デインターリーブ部３６に出力するように構成されている（図２５を参照）。
【００８４】
ビットデインターリーブ部３７は、周波数・偏波間デインターリーブ部３６ａ/３６ｂから入力されたデータに対して、ビットインターリーブ部１６で施されたビットインターリーブ処理に対応するビットデインターリーブ処理を施すように構成されている。
【００８５】
内符号復号部３８は、ビットデインターリーブ部３７から入力されたブロックに対して、内符号符号化部１５で施された誤り訂正符号化処理に対応する複号処理を施すように構成されている。
【００８６】
エネルギー逆拡散部３９は、内符号復号部３８から入力されたブロックに対して、エネルギー拡散部１４で施されたエネルギー拡散処理に対応するエネルギー逆拡散処理を施すように構成されている。
【００８７】
外符号復号部４０は、エネルギー逆拡散部３９から入力されたブロックに対して、外符号符号化部１３で施された誤り訂正符号化処理に対応する複号処理を施すように構成されている。
【００８８】
簡易デスクランブル部４１は、外符号復号部４０から入力されたブロックに対して、簡易スクランブル部１２で施されたスクランブル処理に対応するデスクランブル処理を施すように構成されている。なお、送信装置１が、簡易スクランブル部１２を具備していない場合、受信装置３は、簡易デスクランブル部４１を具備していなくてもよい。
【００８９】
ＦＥＣブロック分離部４２は、簡易デスクランブル部４１から入力されたブロックの中のＦＥＣブロックを分離するように構成されている。
【００９０】
図２０〜図２３に、本実施形態に係る送信装置１及び受信装置３を含む伝送システムのビット誤り率（Ｂｉｔ  Ｅｒｒｏｒ  Ｒａｔｅ：ＢＥＲ）の一例を示す。図２０〜図２３に示すように、本実施形態に係る不均一コンスタレーション（Ｎｏｎ-Ｕｎｉｆｏｒｍ  Ｃｏｎｓｔｅｌｌａｔｉｏｎ：ＮＵＣ）を用いた伝送システムのビット誤り率（図２０〜図２３における実線）は、既存の均一コンスタレーション（Ｕｎｉｆｏｒｍ  Ｃｏｎｓｔｅｌｌａｔｉｏｎ：ＵＣ）を用いた伝送システム（図２０〜図２３における点線）と比べて同一のＣ/Ｎ（搬送波電力対雑音電力比）においてビット誤り率が小さく改善されていることが分かる。
【００９１】
本実施形態に係る伝送システムによれば、新たなテレビジョン放送素材伝送用の可搬型無線伝送機器において、伝送レートの向上と共に雑音耐性の向上を実現することができる。
【００９２】
（その他の実施形態）
本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【００９３】
上述の実施形態では、複数本の送受信アンテナによるＭＩＭＯが適用されているケースを挙げて説明しているが、本発明は、かかるケースに限定されることはなく、図２４及び図２５に示すように、１本の送受信アンテナによるＳＩＳＯが適用されているケース等にも適用可能である。
【００９４】
また、上述の実施形態では特に触れていないが、上述の送信装置１及び受信装置３によって行われる各処理をコンピュータに実行させるプログラムが提供されてもよい。また、かかるプログラムは、コンピュータ読取り可能媒体に記録されていてもよい。コンピュータ読取り可能媒体を用いれば、かかるプログラムをコンピュータにインストールすることが可能である。ここで、かかるプログラムが記録されたコンピュータ読取り可能媒体は、非一過性の記録媒体であってもよい。非一過性の記録媒体は、特に限定されるものではないが、例えば、ＣＤ-ＲＯＭやＤＶＤ-ＲＯＭ等の記録媒体であってもよい。
【００９５】
或いは、上述の送信装置１及び受信装置３内の少なくとも一部の機能を実現するためのプログラムを記憶するメモリ及びメモリに記憶されたプログラムを実行するプロセッサによって構成されるチップが提供されてもよい。
【符号の説明】
【００９６】
１…送信装置
１１…ＦＥＣブロック構成部
１２…簡易スクランブル部
１３…外符号符号化部
１４…エネルギー拡散部
１５…内符号符号化部
１６…ビットインターリーブ部
１７ａ、１７ｂ…周波数・偏波間インターリーブ部
１７…周波数インターリーブ部
１８、１８ａ、１８ｂ…時間インターリーブ部
１９、１９ａ、１９ｂ…マッピング部
２０、２０ａ、２０ｂ…ＯＦＤＭフレーム構成部
２１、２１ａ、２１ｂ…ＩＦＦＴ部
２２、２２ａ、２２ｂ…直交変調部
３…受信装置
３１、３１ａ、３１ｂ…復調部
３２、３２ａ、３２ｂ…ＦＦＴ部
３３、３３ａ、３３ｂ…デフレーム化部
３４、３４ａ、３４ｂ…デマッピング部
３５、３５ａ、３５ｂ…時間デインターリーブ部
３６ａ、３６ｂ…周波数・偏波間デインターリーブ部
３６…周波数デインターリーブ部
３７…ビットデインターリーブ部
３８…内符号復号部
３９…エネルギー逆拡散部
４０…外符号復号部
４１…簡易デスクランブル部
４２…ＦＥＣブロック分離部
【図１】
2019030008.tif 000079
【図２】
2019030008.tif 000080
【図３】
2019030008.tif 000081
【図４】
2019030008.tif 000082
【図５】
2019030008.tif 000083
【図６】
2019030008.tif 000084
【図７】
2019030008.tif 000085
【図８】
2019030008.tif 000086
【図９】
2019030008.tif 000087
【図１０】
2019030008.tif 000088
【図１１】
2019030008.tif 000089
【図１２】
2019030008.tif 000090
【図１３】
2019030008.tif 000091
【図１４】
2019030008.tif 000092
【図１５】
2019030008.tif 000093
【図１６】
2019030008.tif 000094
【図１７】
2019030008.tif 000095
【図１８】
2019030008.tif 000096
【図１９】
2019030008.tif 000097
【図２０】
2019030008.tif 000098
【図２１】
2019030008.tif 000099
【図２２】
2019030008.tif 000100
【図２３】
2019030008.tif 000101
【図２４】
2019030008.tif 000102
【図２５】
2019030008.tif 000103